(57)【要約】      （修正有）【課題】プラスチック製ケース並みのディスク保持力と見栄えを有し、プリンター印刷や手書きができるＣＤ／ＤＶＤケースを作れるＡ４判紙シートを提供する。【解決手段】幅が１２４．５ミリメートル、長さが１２０．０〜１４８．０ミリメートルのディスク装着部を有し、左右幅方向のディスク固定片を含めた全幅が２１０．０ミリメートル又はそれ以内、折り返す蓋部を含めた全長が２９７．０ミリメートル又はそれ以内で、ディスク固定片にはディスク差し込み用切れ込みを有するＡ４判紙シート。【選択図】図１
2015140204.tif 000002
【特許請求の範囲】
【請求項１】
幅が１２４．５ミリメートル、長さが１２０．０〜１４２．０ミリメートルのディスク装着部底板を有し、該底板の左右に延接されるディスク固定片を含めた全幅が２１０．０ミリメートル〜１９０．０ミリメートル、折り返す蓋部を含めた全長が２９７．０ミリメートル〜２６０．０ミリメートルで、ディスク固定片にはディスク差し込み用切れ込みを有することを特徴とするＣＤ及びＤＶＤ用ケースシート。
【請求項２】
ケース外観線に沿った切り取り用ミシン目刃と、ディスク差し込み切込み、蓋先端差し込み用切込み  及び折り筋線には筋押しを施してあることを特徴とする請求項１記載のＡ４判紙シート。
【発明の詳細な説明】
【技術分野】
【０００１】
本発明はＡ４判紙シート１枚から簡単に得られる本格的ＣＤ／ＤＶＤケースに関する。
【背景技術】
【０００２】
多数の未使用のＣＤ／ＤＶＤが個々のディスクケースなしに集積、包装されて販売されている。これら未使用のディスクに使用者が情報を記録した後、ディスクを個々に保管するには空のケースが別に必要である。このような場合、市販のプラスチック製ケースが一般的に用いられてきた。しかし、これらプラチック製ケースを用いた場合、ディスク内容を記した紙をケース上蓋内側に挿入する必要があり、またケース背表紙部には表示できないため、ディスクをこれらケースに入れて多数、本棚の本の如く並べた場合、背表紙からは目的のディスクを取り出せず、全部を取り出し、表面を１枚１枚見て探すしかなく、大変不便であった。
【０００３】
この問題に対して、文献１で示すような紙製ＣＤ／ＤＶＤケースが提案されている。１枚の紙シートから打ち抜かれただけで、接着箇所もなく、折りたたむだけで完成し、しかもディスクの保持能力は蓋を開けた状態でも保たれている優れものである。厚紙を使用すれば本格的なＣＤ／ＤＶＤケースを提供することができる。背表紙部を含めた３面、及び蓋内面に直接筆記出来る。狭くて細長い背表紙部ですら、ディスク装填前に蓋を開けば１枚の紙になるためインデックスとして筆記が可能となり、従来のプラスチック製ケースの欠点を見事にカバーするものである。
【０００４】
しかし、文献１で提供される紙製ディスクケースでは、出来ないことがあった。それは、せっかく１枚の紙であるのに、最大がＡ４サイズシート仕様の家庭用プリンターでは、ディスクケース展開サイズの方が大きく、ディスク内容や、デザインなどを印刷することが出来ないことであった。
【０００５】
【特許文献１】特開２０１２−１４８７８３
【発明の開示】
【発明が解決しようとする課題】
【０００６】
本発明が解決しようとしている課題は、プラスチック製ケース並にディスクの保持能力の高いＣＤ／ＤＶＤケースを、Ａ４サイズの１枚の紙に描かれた図面に従い切り抜くだけで、簡単に作ることが出来るＡ４紙シートを提供することにある。
【課題を解決するための手段】
【０００７】
第一の課題解決手段は、幅が１２４．５ミリメートル、長さが１２０．０〜１４２．０ミリメートルのディスク装着部底板を有し、該底板の左右に延接されるディスク固定片を含めた全幅が２１０．０ミリメートル〜１９０．０ミリメートル、折り返す蓋部を含めた全長が２９７．０ミリメートル〜２６０．０ミリメートルで、ディスク固定片にはディスク差し込み用切れ込みを有することを特徴とするＣＤ及びＤＶＤ用ケースシートとする。
【０００８】
第二の課題解決手段は、ケース外観線に沿った切り取り用ミシン目刃と、ディスク差し込み切込み、蓋先端差し込み用切込み  及び折り筋線には筋押しを施してあることを特徴とする請求項１記載のＡ４判紙シートとする。
【発明の効果】
【０００９】
本発明による効果は以下の通りである。即ち、１枚の紙から、簡単にプラスチック製ケースに劣らない本格的ディスク保持力を持ちながら、更にプラスチックケースでは得られない、どの面にも印刷及び手書きによりディスク情報を記すことが出来る。この事が可能になるのが、Ａ４判シート１枚に切り抜けば直ちにケースとなる印刷が施されているからであり、Ａ４判シートであるから、家庭用プリンターで誰でも、音楽名、写真名などディスク情報をＡ４ケースシートに追加印刷出来るのである。ディスクケース表裏、背表紙部、蓋裏面などに、ディスクケース外観線内に印刷し、ケースを切り抜き、折り筋に沿って簡単にケースに組立できる。ケースは紙製でありながら、ディスクをディスク差し込み用切込みに差し込むと、蓋なし状態でもディスクの保持は完璧であり、落下耐性はプラスチック製ディスクケースよりも優れるほどである。
【００１０】
外観線に沿った切り取り用ミシン目と、ディスク差し込み切込み、折り筋線には筋押を予め施したＡ４シートになっていれば、プリンターで印刷後、鋏みやナイフなしでもディスクケースを切り出すことができ、簡単にケースに組み立てられる。印刷はせず、手書きでもよく、また、何らかの印刷を施したディスクケース用Ａ４シートとして提供も可能である。
【００１１】
本発明の最大の利点は、紙製のＣＤ／ＤＶＤ用ケースをＡ４シートで提供できるようにすることであり、切り抜き用の線をデータで提供することもできる。そのことにより、従来のプラスチック製ＣＤ／ＤＶＤケースなら、未使用、使用にかかわらず保管に占めるスペースは同じであるが、本発明によれば未使用のＣＤ／ＤＶＤケースはＡ４シートか、切り抜いたシートか、いずれにしてもシート状態で保管出来るため、保管場所が圧倒的に少なくて済む。また、Ａ４シートに印刷（外観線など）又は切り込みを入れるだけであるから、製造コストは大幅に軽減出来る。
【００１２】
また、ディスク装着部底板の横幅（蓋の開閉方向を縦として）をプラスチック製ケースの一般的寸法である１２４．５ミリメートルに合わせることにより、プラスチック製ケースと本発明による紙製ケースを本棚に本を並べるように置いた時、背表紙を前側にし、同じ高さで揃い、見た目も良くすることが出来る。インターネット上では、紙製のディスクケースの作成方法が多数載っているが、これらは、本発明によるようなプラスチック製ケースの代替機能はなく、単にディスクを薄紙１枚で、包装するような提案ばかりである。従ってこれら、ディスクを包装するだけに近く、プラスチック製ケースと並べて本棚等に一緒に並べる事は出来ない。それは包装に近い包み方が出来る紙は薄手である事も原因している。本発明では、プリンターを通過出来る紙厚であれば、基本的に紙厚制限がない点も優れている。背表紙部の厚さも３〜４ミリメートルで済み、５ミリメートルのプラスチック製のスリムケースの厚みより薄く、大量保管では保管スペースに効果を発揮する。本発明による紙ケースは家庭用プリンターを通る最大厚みの紙が使え、以下の実施例に示すような上質紙の採用により、しっかりとしたケースが出来上がることもこの発明による効果である。また、ディスク装着部を２連にすることで、Ａ４の紙１枚で本格的２枚入れケースが出来上がることも素晴らしい。
【発明を実施するための最良の形態】
【００１３】
図１は本発明による、ディスク１枚入れ紙製ＣＤ／ＤＶＤケースとなるＡ４ケースシートの斜視図である。Ａ４シート（２１０．０×２９７．０ミリメートル）目一杯にケースの外観及び組み立て図が描かれている。点線は切り取り線で、適度な間隔でミシン刃が入れられている。破線は折り筋を示し、折り曲げ易く筋押しされている。勿論、ミシン目刃入れ、筋押しは必須ではないが、あった方が良い。ケース外観線内の実線は切り込みであるが、適宜補助として切り込まない一部を残しても良い。尚、紙は坪量２５０グラムの上質紙を使用した。
【００１４】
通常は、このＡ４ケースシートに、ディスクの内容をプリンターで印刷するが、勿論、印刷せず手書きで使用しても良い。図２はプリンターで印刷後、外観線に沿って切り出したケースシートＳ１の平面図である。説明上、ディスク印刷内容は省略する。ケースシートＳ１は、長さＬ２が２９７ミリメートル、幅Ｌ１が２１０ミリメートルで、Ａ４判サイズ（２１０×２９７ミリメートル）の紙をフル利用して切り抜かれている。破線は折り筋を示し、折りやすくするため筋押しが入れてある。ディスク装着部底板１は、直径１２０．０ミリメートルのＣＤ／ＤＶＤディスクを装着可能なサイズであり、横幅は市販プラスチックケースの高さ（蓋開閉方向と直角方向）と同じ１２４．５ミリメートルである。底板１の左右には折り筋を介してディスク差込み片２を延設し、差込み片２にはディスク差込み用切れ込み５がある。切れ込み５は印刷だけで、組み立て時にカッターで切れ込みを入れても勿論構わない。尚、ディスク装着部とはディスク装着部底板１と左右の差込片２を併せた総称。図３に実施例１ケースシートＳ１の実寸法図面を記す。単位はミリメートルである。
【００１５】
図４は、図２で切り出したケースシートＳ１のディスク固定片２を折り筋７から、左右のディスク固定片２が向き合うように内側に折り曲げ、折り筋６から先を更に内側に折り曲げた斜視図である。２本のレール状折り筋８、９も折り曲げ、ディスクケースはこれで完成である。ディスク固定片２には、ディスク差込み切れ込み５が開口した状態になる。
【００１６】
図５は、図４の状態の紙ケースにディスクを装着した状態を示す斜視図である。ディスクの両端はディスク差込切れ込み５にしっかり保持され、蓋を持って強く振ってもディスクが外れることはない。
【００１７】
図６は、蓋を閉めた状態を示す。４ミリメートル厚さのコンパクトなケースである。図６の裏面で蓋差し先端４ａが、蓋差し先端挿入口４ｂに差し込まれている。本発明では、本棚にプラスチックケースと一緒に並べて保管しても、市販プラスチックケースと背丈が同じで、かつ市販プラスチックケースの長さより長くならない、即ち平面の大きさが市販プラスチックケースと、高さは同じで、長さが長くならないことで、保管時、市販プラスチックケースと共存出来るようになっている。実施例では底面寸法幅１２４．５ミリメートル、長さ１２０．０ミリメートルを選んでいる。また本実施例のような背表紙を設けない本発明による実施例も当然可能である。
【００１８】
本発明によるケース寸法は、外寸Ｌ１、Ｌ２としては最大寸法が最もＡ４判紙に対して、Ａ４サイズを生かした寸法で推薦される寸法である。勿論、その内側寸法でも可能であるが、全幅はディスク差込切れ込み５を円弧にした方がディスクの差込み易さ、保持ともに良いので、１９０ミリメートルが限界であり、全幅Ｌ１は２１０〜１９０ミリメートルとなる。またディスク装着部底板１のタテが、市販プラスチックケースより長くならず、１２０ミリメートル直径のディスクを保持するために１２０〜１４２ミリメートルが設定されるため全長Ｌ２は蓋分を含め２９７．０〜２６０．０ミリメートルとなる。
【００１９】
図７は、ディスク２枚入れの実施例２によるＡ４ケースシートの斜視図である。実施例１で蓋の部分もディスク装着部となっている。
【００２０】
図８は図７から切り出したケースＳ２平面図である。ディスク２枚入れの寸法がピッタリＡ４判シートに収まっている。組み立て等、全て実施例１と同じであるため、以降は省略する。    
【図面の簡単な説明】
【００２１】
【図１】ケース外観及び切り取り線などが印刷された１枚入れＡ４紙シートの斜視図
【図２】上記シートから切り抜かれたケースシートＳ１の平面図
【図３】ケースシートＳ１の実寸法図
【図４】折り筋に従い折り畳んだ斜視図
【図５】ディスクＤ１を装着した斜視図
【図６】蓋締めした状態の斜視図
【図７】実施例２のＡ４ケースシート斜視図
【図８】実施例２のケースシートS2平面図
【符号の説明】
【００２２】
Ｓ          切り抜かれたケースシート
Ｄ          ディスク
１          ケース底面
２          ディスク固定片
３          蓋面
４          蓋差し片
４a          蓋差し先端
４b          蓋差し先端挿入口
５          ディスク差し込み切れ込み  
６、７      折り筋            
８，９      ２本折り筋
【図１】
2015140204.tif 000003
【図２】
2015140204.tif 000004
【図３】
2015140204.tif 000005
【図４】
2015140204.tif 000006
【図５】
2015140204.tif 000007
【図６】
2015140204.tif 000008
【図７】
2015140204.tif 000009
【図８】
2015140204.tif 000010